(57)【要約】【課題】電源プラグと本体と有する電子機器を、両者を別体にしなくても、コンセントによるプラグの把持力に依存せずに、コンセントカバーの他のコンセントが覆い隠されないよう電子機器を壁面に確実に設置できるようにすること。【解決手段】ガス漏れ警報器１のプラグ１ｃを下側のコンセント７ｂに差し込んだ際に本体１ａの下面１ｄに長辺部９ｃが当接するように、コンセントカバー５よりも若干下方の壁面３箇所にブラケット９ａの短片部９ｂを予め取着しておき、その後、プラグ１ｃをコンセント７ｂに差し込んだガス漏れ警報器１の、長孔９ｄに臨んで位置する雌ねじ孔１ｅに、長孔９ｄを挿通させた取付ねじ９ｅのねじ部９ｇを螺着して、コンセントカバー５の下方にはみ出して壁面３との間にコンセントカバー５の厚さに応じた寸法の隙間Ｓが生じる本体１ａの下部を、長孔９ｄの延在方向において位置決めする。【選択図】      図２
2004327347.tif 000002
【特許請求の範囲】
【請求項１】
本体の背面から突設されたプラグを壁面のコンセントカバーのコンセントに差し込むことで前記壁面に設置される電源プラグ一体型の電子機器であって、
前記プラグを前記コンセントに差し込んだ状態で、前記壁面から延出するブラケットの前記本体の下面に当接する支持片の係合部が係合される被係合部が、前記本体の下面に形成されている、
ことを特徴とする電源プラグ一体型電子機器。
【請求項２】
前記係合部は、前記支持片を貫通して前記本体側に突出するねじ部材の先端側部分により構成されており、前記被係合部は、前記ねじ部材の先端側部分が螺合可能な雌ねじ孔により構成されており、該雌ねじ孔は、前記支持片を貫通した前記ねじ部材の先端側部分の前記雌ねじ孔への螺着により前記本体の前記下面に前記支持片が取着され、該支持片が前記下面に取着された前記本体の前記プラグを前記コンセントに差し込むことにより、前記ブラケットの前記支持片に連設された当接片が前記壁面に当接されるように構成されている請求項１記載の電源プラグ一体型電子機器。
【請求項３】
前記係合部及び前記被係合部のうち一方は、前記壁面に取着された前記ブラケットの前記支持片から、前記プラグを前記コンセントに差し込んだ状態の前記本体側に向けて突設された、固定用突起により構成されており、前記係合部及び前記被係合部のうち他方は、前記固定用突起が挿入可能な固定用凹部により構成されている請求項１記載の電源プラグ一体型電子機器。
【請求項４】
前記固定用凹部は、前記壁面に対して接近離間する方向に列設した複数の溝により構成されており、前記固定用突起は、前記複数の溝のうちいずれか一つの溝に選択的に挿入されるように帯状に形成されている請求項３記載の電源プラグ一体型電子機器。
【請求項５】
前記各溝は、前記固定用突起が挿入された前記溝から、前記壁面に対して離間する方向に隣接する前記溝への、当該両溝間における前記固定用突起の乗り上げ移動を許容する傾斜面と、前記固定用突起が挿入された前記溝から、前記壁面に対して接近する方向に隣接する前記溝への、当該両溝間における前記固定用突起の乗り上げ移動を阻止する非傾斜面とを有している請求項４記載の電源プラグ一体型電子機器。
【請求項６】
本体の背面から突設されたプラグを壁面のコンセントカバーのコンセントに差し込むことで前記壁面に設置される電源プラグ一体型の電子機器であって、
前記本体の背面のうち、前記プラグを前記コンセントに差し込んだ状態で前記コンセントカバーと対向する背面部分に、該コンセントカバーのうち、前記背面部分と対向するコンセントカバー部分と面ファスナー結合する取付補強部が設けられている、
ことを特徴とする電源プラグ一体型電子機器。
【請求項７】
前記本体はガス漏れ警報器の本体である請求項１、２、３、４、５又は６記載の電源プラグ一体型電子機器。
【請求項８】
本体の背面から突設されたプラグを壁面のコンセントカバーのコンセントに差し込むことで前記壁面に設置される電源プラグ一体型の電子機器の、前記壁面への設置に当たって使用される設置補助具であって、
前記本体の下面に取着される支持片と、
前記支持片に連接され、前記プラグを前記コンセントに差し込んだ状態で前記壁面に当接する当接片と、
を備えることを特徴とする電源プラグ一体型電子機器用設置補助具。
【請求項９】
前記支持片は、前記プラグを前記コンセントに差し込んだ状態で前記壁面に対して接近離間する方向に移動可能に、前記本体の前記下面に対して取り付けられている請求項８記載の電源プラグ一体型電子機器用設置補助具。
【請求項１０】
本体の背面から突設されたプラグを壁面のコンセントカバーのコンセントに差し込むことで前記壁面に設置される電源プラグ一体型の電子機器の、前記壁面への設置に当たって使用される設置補助具であって、
前記壁面に取着され、前記プラグを前記コンセントに差し込んだ状態で前記本体の下面に当接する支持片を有するブラケットと、
前記支持片に設けられ、前記プラグを前記コンセントに差し込んだ状態で前記本体の下面に形成された被係合部と係合する係合部と、
を備えることを特徴とする電源プラグ一体型電子機器用設置補助具。
【請求項１１】
前記係合部は、前記ブラケットを前記壁面に取着した状態で前記壁面に対して接近離間する方向に移動可能に、前記支持片に対して取り付けられている請求項１０記載の電源プラグ一体型電子機器用設置補助具。
【請求項１２】
請求項１又は２に記載した電源プラグ一体型電子機器を、請求項８又は９に記載した電源プラグ一体型電子機器用設置補助具を用いて前記壁面に設置するようにしたことを特徴とする電源プラグ一体型電子機器の壁面設置方法。
【請求項１３】
請求項３、４、５、６又は７に記載した電源プラグ一体型電子機器を、請求項１０又は１１に記載した電源プラグ一体型電子機器用設置補助具を用いて前記壁面に設置するようにしたことを特徴とする電源プラグ一体型電子機器の壁面設置方法。
【発明の詳細な説明】
【０００１】
【発明の属する技術分野】
本発明は、都市ガスやＬＰガスのガス漏れ警報器等の、壁面に設置される電子機器と、その壁面への設置の際に使用される設置補助具、並びに、電子機器を壁面に設置する方法に係り、特に、本体の背面から突設されたプラグを壁面のコンセントカバーのコンセントに挿入することで壁面に設置される電源プラグ一体型の電子機器と、その壁面への設置の際に使用される設置補助具、並びに、電源プラグ一体型電子機器を壁面に設置する方法に関する。
【０００２】
【従来の技術】
一般に、ガスを消費する家屋や店舗等にはガス漏れ警報器が設置されるが、このガス漏れ警報器はかなりの長期間に亘って使用されるため、枯渇対策の面から、バッテリ等の内部電源ではなく商用電源を使用するものが提供されている。
【０００３】
特に、ガス漏れを検出した際に音声や表示による警報を出力すると共に、専用の回線又は既存の電話回線を利用して遠隔地の集中監視センタに自動通報を行うタイプの警報器においては、新築の家屋や店舗等向けとして、コンセントと通報信号伝送用の雌端子とを一体に設けた専用のコンセントカバーを壁面に設けて、警報器の本体背面に突設された電源用のプラグや信号出力用の雄端子をコンセントや雌端子に各々差し込むことで、ガス漏れ警報器の壁面への設置と電気接続とが同時に行えるようにしたものもある。
【０００４】
例えば、特許文献１に記載されたガス漏れ警報器では、コンセントカバーに収容凹部が形成されており、この収容凹部にガス漏れ警報器の本体を収容すると、コンセントにプラグが差し込まれると共に雌端子に雄端子が差し込まれて、ガス漏れ警報器が壁面に設置されるように構成されている。
【０００５】
また、特許文献２に従来技術として記載されたガス漏れ警報器では、コンセントカバーのコンセントにプラグを差し込むと共に雌端子に雄端子を差し込み、本体を貫通させたねじを、コンセントカバーの中央にある壁面取付用の通孔に挿入して壁面開口部のベース板のねじ孔に螺着することで、ガス漏れ警報器が壁面に設置されるように構成されている。
【０００６】
【特許文献１】
実開平４−１０８２９６号公報
【特許文献２】
実開平６−７０１８４号公報
【０００７】
【発明が解決しようとする課題】
しかしながら、上記した特許文献１，２の各従来技術は、ガス漏れ警報器の本体を直接壁面に設置できる点で有利であるものの、専用のコンセントカバーを必要とするため、自動通報を行わない警報機能のみのガス漏れ警報器をコンセント接続にて直接壁面に取り付ける際に採用するにはコスト的に不利である。
【０００８】
そこで、警報機能のみのガス漏れ警報器を壁面に設置する際に、上記した特許文献２に実施例として記載されたガス漏れ警報器のように、本体とプラグとを別体にして両者を電源コードで接続し、プラグはコンセントに差し込み、本体は壁面に取着したフックを有する取付板に吊り下げ固定する構成を採用することも考えられる。
【０００９】
しかし、この構成では、本体とプラグ別体にすることから、電源コードが部品として増える分だけ、製品コストが高くなると共に断線による接続不良の発生可能性がある場所を増やすことになり、価格面及び性能面での工夫を別途必要とする可能性がある。
【００１０】
以上の点を総合すると、本体とプラグはやはり一体であるのが望ましく、そうとすると、現在の一般的なガス漏れ警報器の本体のサイズからすると、例えば２口コンセントのうち一方にプラグを差し込んで他方のコンセントを使えるようにするためには、プラグを本体背面のなるべく端寄りに配置して、コンセントにプラグを差し込んだ際に本体がもう一つのコンセントを覆い隠してしまわないように、コンセントカバーから本体の一部をはみ出させなければならなくなる。
【００１１】
しかし、そうすると、コンセントカバーの表面がその厚さ分だけ壁面から突出していることから、コンセントカバーからはみ出た本体部分と壁面との間に隙間が空くことになり、この隙間がなくなるような方向に本体へ外力が加わると、本来プラグを安易に引き抜けない程度に把持する程度のものでしかないコンセントのプラグ把持力では、この外力に対抗して本体の姿勢をそのまま維持させることができず、本体が傾いてプラグのコンセントへの差し込み状態が甘くなって脱落しかねなくなってしまう。
【００１２】
本発明は前記事情に鑑みなされたもので、本発明の目的は、上記したガス漏れ警報器のような電源プラグと本体とを有する電子機器において、本体とプラグとを別体にしなくても、コンセントカバーの他のコンセントを覆い隠すことなく、かつ、コンセントによるプラグの把持力に依存することなく、壁面に確実に設置できるようにすることが可能な電源プラグ一体型電子機器と、その壁面への設置の際に使用される設置補助具、並びに、電源プラグ一体型電子機器を壁面に設置する際に用いて好適な設置方法を提供することにある。
【００１３】
【課題を解決するための手段】
前記目的を達成する請求項１乃至請求項７に記載した本発明は電源プラグ一体型電子機器に関するものであり、請求項８乃至請求項１１に記載した本発明は電源プラグ一体型電子機器用設置補助具に関するものであり、請求項１２及び請求項１３に記載した本発明は電源プラグ一体型電子機器の壁面設置方法に関するものである。
【００１４】
そして、請求項１に記載した本発明の電源プラグ一体型電子機器は、本体の背面から突設されたプラグを壁面のコンセントカバーのコンセントに差し込むことで前記壁面に設置される電源プラグ一体型の電子機器であって、前記プラグを前記コンセントに差し込んだ状態で、前記壁面から延出するブラケットの前記本体の下面に当接する支持片の係合部と係合する被係合部が、前記本体の下面に形成されていることを特徴とする。
【００１５】
また、請求項２に記載した本発明の電源プラグ一体型電子機器は、請求項１に記載した本発明の電源プラグ一体型電子機器において、前記係合部が、前記支持片を貫通して前記本体側に突出するねじ部材の先端側部分により構成されており、前記被係合部が、前記ねじ部材の先端側部分が螺合可能な雌ねじ孔により構成されており、該雌ねじ孔は、前記支持片を貫通した前記ねじ部材の先端側部分の前記雌ねじ孔への螺着により前記本体の前記下面に前記支持片が取着され、該支持片が前記下面に取着された前記本体の前記プラグを前記コンセントに差し込むことにより、前記ブラケットの前記支持片に連設された当接片が前記壁面に当接されるように構成されているものとした。
【００１６】
さらに、請求項３に記載した本発明の電源プラグ一体型電子機器は、請求項１又は２に記載した本発明の電源プラグ一体型電子機器において、前記係合部及び前記被係合部のうち一方が、前記壁面に取着された前記ブラケットの前記支持片から、前記プラグを前記コンセントに差し込んだ状態の前記本体側に向けて突設された固定用突起により構成されており、前記係合部及び前記被係合部のうち他方が、前記固定用突起が挿入可能な固定用凹部により構成されているものとした。
【００１７】
また、請求項４に記載した本発明の電源プラグ一体型電子機器は、請求項３に記載した本発明の電源プラグ一体型電子機器において、前記固定用凹部が、前記壁面に対して接近離間する方向に列設した複数の溝により構成されており、前記固定用突起が、前記複数の溝のうちいずれか一つの溝に選択的に挿入されるように帯状に形成されているものとした。
【００１８】
さらに、請求項５に記載した本発明の電源プラグ一体型電子機器は、請求項４に記載した本発明の電源プラグ一体型電子機器において、前記各溝が、前記固定用突起が挿入された前記溝から、前記壁面に対して離間する方向に隣接する前記溝への、当該両溝間における前記固定用突起の乗り上げ移動を許容する傾斜面と、前記固定用突起が挿入された前記溝から、前記壁面に対して接近する方向に隣接する前記溝への、当該両溝間における前記固定用突起の乗り上げ移動を阻止する非傾斜面とを有しているものとした。
【００１９】
また、請求項６に記載した本発明の電源プラグ一体型電子機器は、請求項５に記載した本発明の電源プラグ一体型電子機器において、本体の背面から突設されたプラグを壁面のコンセントカバーのコンセントに差し込むことで前記壁面に設置される電源プラグ一体型の電子機器であって、前記本体の背面のうち、前記プラグを前記コンセントに差し込んだ状態で前記コンセントカバーと対向する背面部分に、該コンセントカバーのうち、前記背面部分と対向するコンセントカバー部分と面ファスナー結合する取付補強部が設けられていることを特徴とする。
【００２０】
さらに、請求項７に記載した本発明の電源プラグ一体型電子機器は、請求項１、２、３、４、５又は６記載の電源プラグ一体型電子機器において、前記本体がガス漏れ警報器１，１Ａ，１Ｂ，１Ｃの本体１ａであるものとした。
【００２１】
また、請求項８に記載した本発明の電源プラグ一体型電子機器用設置補助具は、本体１ａの背面１ｂから突設されたプラグ１ｃを壁面３のコンセントカバー５のコンセント７ｂに差し込むことで前記壁面３に設置される電源プラグ一体型の電子機器１，１Ａ，１Ｂの、前記壁面３への設置に当たって使用される設置補助具９，９Ａ，９Ｂであって、前記本体１ａの下面１ｄに取着される支持片９ｃと、前記支持片９ｃに連設され、前記プラグ１ｃを前記コンセント７ｂに差し込んだ状態で前記壁面３に当接する当接片９ｂとを備えることを特徴とする。
【００２２】
さらに、請求項９に記載した本発明の電源プラグ一体型電子機器用設置補助具は、請求項８に記載した本発明の電源プラグ一体型電子機器用設置補助具において、前記支持片が、前記プラグを前記コンセントに差し込んだ状態で前記壁面に対して接近離間する方向に移動可能に、前記本体の前記下面に対して取り付けられているものとした。
【００２３】
また、請求項１０に記載した本発明の電源プラグ一体型電子機器用設置補助具は、本体の背面から突設されたプラグを壁面のコンセントカバーのコンセントに差し込むことで前記壁面に設置される電源プラグ一体型の電子機器の、前記壁面への設置に当たって使用される設置補助具であって、前記壁面に取着され、前記プラグを前記コンセントに差し込んだ状態で前記本体の下面に当接する支持片を有するブラケットと、前記支持片に設けられ、前記プラグを前記コンセントに差し込んだ状態で前記本体の下面に形成された被係合部と係合する係合部とを備えることを特徴とする。
【００２４】
さらに、請求項１１に記載した本発明の電源プラグ一体型電子機器用設置補助具は、請求項１０に記載した本発明の電源プラグ一体型電子機器用設置補助具において、前記係合部が、前記ブラケットを前記壁面に取着した状態で前記壁面に対して接近離間する方向に移動可能に、前記支持片に対して取り付けられているものとした。
【００２５】
また、請求項１２に記載した本発明の電源プラグ一体型電子機器の壁面設置方法は、請求項１又は２に記載した電源プラグ一体型電子機器１を、請求項８又は９に記載した電源プラグ一体型電子機器用設置補助具９を用いて前記壁面に設置するようにしたことを特徴とする。
【００２６】
さらに、請求項１３に記載した本発明の電源プラグ一体型電子機器の壁面設置方法は、請求項３、４、５、６又は７に記載した電源プラグ一体型電子機器１Ａ，１Ｂを、請求項１０又は１１に記載した電源プラグ一体型電子機器用設置補助具９Ａ，９Ｂを用いて前記壁面に設置するようにしたことを特徴とする。
【００２７】
請求項１に記載した本発明の電源プラグ一体型電子機器によれば、本体背面から突設されたプラグを、壁面のコンセントカバーのコンセントに差し込むと、壁面から延出するブラケットの支持片が本体の下面に当接して、その下面に形成された被係合部が、支持片の係合部に係合され、コンセントにプラグを差し込んだ状態でコンセントカバーからはみ出る本体部分が、壁面に対して接近離間する方向への移動を規制される。
【００２８】
このため、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがない。
【００２９】
また、請求項２に記載した本発明の電源プラグ一体型電子機器によれば、請求項１に記載した本発明の電源プラグ一体型電子機器において、ねじ部材の雌ねじ孔に対する螺合、即ち、ねじ結合によって、被係合部に係合部が固定されるので、本体にブラケットが一体化されて、壁面に対するブラケットの当接片の当接により、コンセントにプラグを差し込んだ状態でコンセントカバーからはみ出た本体と壁面との隙間が一定に保たれることになる。
【００３０】
さらに、請求項３に記載した本発明の電源プラグ一体型電子機器によれば、請求項１に記載した本発明の電源プラグ一体型電子機器において、被係合部への係合部の係合が、係合部及び被係合部のうち一方を構成する、壁面に取着されたブラケットの支持片から突設された固定用突起の、係合部及び被係合部のうち他方を構成する固定用凹部への挿入により実現されるので、被係合部における係合部との係合が容易に行われるようになる。
【００３１】
また、請求項４に記載した本発明の電源プラグ一体型電子機器によれば、請求項３に記載した本発明の電源プラグ一体型電子機器において、係合部及び被係合部のうち一方を構成する帯状の固定用突起を、係合部及び被係合部のうち一方を構成する固定用凹部の、壁面に対して接近離間する方向に列設した複数の溝のうちどの溝に選択的に挿入するかによって、コンセントにプラグを差し込んだ状態でコンセントカバーからはみ出る本体部分と壁面との間に空く隙間が、コンセントカバーの厚さに応じた寸法に合わせて、任意に設定されるようになる。
【００３２】
さらに、請求項５に記載した本発明の電源プラグ一体型電子機器によれば、請求項４に記載した本発明の電源プラグ一体型電子機器において、係合部及び被係合部のうち一方を構成する固定用凹部の複数の溝のうちいずれか一つの溝に選択的に挿入される固定用突起の、壁面に対して離間する方向に隣接する溝への乗り上げ移動が、固定用突起の傾斜面により許容され、壁面に対して接近する方向に隣接する溝への乗り上げ移動が、固定用突起の非傾斜面により阻止されることから、壁面に設置された電源プラグ一体型電子機器のコンセントカバーからはみ出た本体部分の、壁面に対して離間する方向への移動が、容易となる。
【００３３】
また、請求項６に記載した本発明の電源プラグ一体型電子機器によれば、本体背面から突設されたプラグを、壁面のコンセントカバーのコンセントに差し込むと、コンセントカバーに対向する本体の背面部分の取付補強部が、これに対向するコンセントカバー部分と面ファスナー結合されて、コンセントにプラグを差し込んだ状態でコンセントカバーからはみ出る本体部分が、壁面に対して接近離間する方向への移動を規制される。
【００３４】
このため、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがない。
【００３５】
さらに、請求項７に記載した本発明の電源プラグ一体型電子機器によれば、電源プラグ一体型のガス漏れ警報器を壁面に設置する際に、請求項１、２、３、４、５又は６に記載した電源プラグ一体型電子機器によって得られる作用が奏されることになる。
【００３６】
また、請求項８に記載した本発明の電源プラグ一体型電子機器用設置補助具によれば、本体の下面にブラケットの支持片を取着した電源プラグ一体型の電子機器の本体背面から突設されたプラグを、壁面のコンセントカバーのコンセントに差し込むと、ブラケットの当接片が壁面に当接して、壁面に対して接近離間する方向への本体の移動を規制する。
【００３７】
このため、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがない。
【００３８】
さらに、請求項９に記載した本発明の電源プラグ一体型電子機器用設置補助具によれば、請求項８に記載した本発明の電源プラグ一体型電子機器用設置補助具において、コンセントにプラグを差し込んだ状態でコンセントカバーからはみ出る本体部分と壁面との間に空く隙間が、コンセントカバーの厚さに応じた寸法に応じて変化しても、ブラケットを壁面に取着した状態において壁面に対して接近離間する方向へ、支持片を本体の下面に対して移動させることで、当接片が壁面に確実に当接するようになる。
【００３９】
また、請求項１０に記載した本発明の電源プラグ一体型電子機器用設置補助具によれば、電源プラグ一体型の電子機器の本体背面から突設されたプラグを、壁面のコンセントカバーのコンセントに差し込むと、ブラケットを壁面に取着した状態で、ブラケットの支持片が本体の下面に当接して、その支持片に設けられた係合部が、電源プラグ一体型の電子機器の本体下面に形成された被係合部と係合し、壁面に対して接近離間する方向への本体の移動を規制する。
【００４０】
このため、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがない。
【００４１】
さらに、請求項１１に記載した本発明の電源プラグ一体型電子機器用設置補助具によれば、請求項１０に記載した本発明の電源プラグ一体型電子機器用設置補助具において、コンセントにプラグを差し込んだ状態でコンセントカバーからはみ出る本体部分と壁面との間に空く隙間が、コンセントカバーの厚さに応じた寸法に応じて変化しても、ブラケットを壁面に取着した状態において壁面に対して接近離間する方向へ、係合部を支持片に対して移動させることで、電源プラグ一体型の電子機器の本体下面の被係合部に係合部が係合するようになる。
【００４２】
尚、請求項１２に記載した本発明の電源プラグ一体型電子機器の壁面設置方法によって、電源プラグ一体型の電子機器を壁面に設置すると、請求項１又は２に記載した電源プラグ一体型電子機器によって得られる作用と、請求項８又は９に記載した電源プラグ一体型電子機器用設置補助具によって得られる作用とが、同時に奏されることになる。
【００４３】
また、請求項１３に記載した本発明の電源プラグ一体型電子機器の壁面設置方法によって、電源プラグ一体型の電子機器を壁面に設置すると、請求項３、４、５、６又は７に記載した電源プラグ一体型電子機器によって得られる作用と、請求項１０又は１１に記載した電源プラグ一体型電子機器用設置補助具によって得られる作用とが、同時に奏されることになる。
【００４４】
【発明の実施の形態】
以下、本発明の電源プラグ一体型電子機器の壁面設置方法を、本発明の電源プラグ一体型電子機器及び電源プラグ一体型電子機器用設置補助具と共に、図面を参照して説明する。
【００４５】
図１は、壁面に設置される電源プラグ一体型機器としてのガス漏れ警報器の一般的な構成を示す断面図であり、図１中引用符号１はガス漏れ警報器（電源プラグ一体型機器に相当）、３は壁面、５は壁面３に設けられたコンセントカバー、７は壁面３内に埋め込まれてコンセントカバー５により被覆されたコンセント本体である。
【００４６】
図１に示すように、前記ガス漏れ警報器１は上部正面を一部傾斜させた直方体状の本体１ａを有しており、本体１ａの背面１ｂの上部には、図１中破線で示すように、電源供給用のプラグ１ｃが突設されている。
【００４７】
前記コンセント本体７は、不図示の取付板により壁面３の外面又は内面に固定されて、壁面３の開口３ａに配置されており、コンセント本体７の前面７ａには、上下２つのコンセント７ｂ，７ｂが配置されている。
【００４８】
前記コンセントカバー５は、コンセント本体７が配置された壁面３の開口３ａを覆い隠すように、コンセント本体７の前記不図示の取付板に取り付けられており、このコンセントカバー５から前記２つのコンセント７ｂ，７ｂが露出している。
【００４９】
上述したガス漏れ警報器１は、コンセント７ｂ，７ｂのどちらかにプラグ１ｃを差し込むことで壁面３に設置されるが、例えば、上側のコンセント７ｂが本体１ａで覆い隠されてしまわないように、下側のコンセント７ｂにプラグ１ｃを差し込んで壁面３に設置した場合、本体１ａの下部がコンセントカバー５の下方にはみ出して、壁面３との間にコンセントカバー５の厚さに応じた寸法の隙間Ｓが生じる。
【００５０】
この状態のままで本体１ａの下部に、コンセント７ｂによるプラグ１ｃの把持力を上回る大きさで、壁面３側への外力が加わると、コンセントカバー５の下端を回転中心として、てこの原理で本体１ａが回転し、本体１ａの下端が壁面３に当接すると共に本体１ａの上端が壁面３（コンセントカバー５）から離れ、これにより、コンセント７ｂに差し込んだプラグ１ｃが引き抜かれて、場合によってはガス漏れ警報器１が壁面３から脱落してしまう。
【００５１】
そこで、そのような外力が本体１ａの下部に加わっても壁面３からのガス漏れ警報器１の脱落を防止する目的で案出されたのが、本発明の電源プラグ一体型電子機器の壁面設置方法と、この方法を実施する際に用いて好適な本発明の電源プラグ一体型電子機器及び電源プラグ一体型電子機器用設置補助具であり、以下、これらの各実施形態を詳細に説明する。
【００５２】
図２は、本発明の第１実施形態に係る電源プラグ一体型電子機器の壁面設置方法を実行するのに当たって使用される、本発明の第１実施形態に係る電源プラグ一体型電子機器と電源プラグ一体型電子機器用設置補助具とを示す要部側面図、図３は同底面図であり、図２及び図３中図１と同等の要素、部分には、図１で付したものと同一の引用符号を付して、重複する説明を省略する。
【００５３】
図２及び図３中引用符号９は、ガス漏れ警報器１のプラグ１ｃをコンセント７ｂに差し込んで壁面３に設置する際に使用される取付ユニット（電源プラグ一体型電子機器用設置補助具に相当）であり、この取付ユニット９は、図４に拡大分解斜視図で示すように、略Ｌ字状のブラケット９ａと取付ねじ９ｅ（ねじ部材に相当）とで構成されている。
【００５４】
このうち、ブラケット９ａは、壁面３に当接される（図２参照）短片部９ｂ（当接片に相当）と、この短片部９ｂに対して直角に延出する長辺部９ｃ（支持片に相当）とを有しており、長辺部９ｃにはその延出方向に沿って長孔９ｄが貫設されている。
【００５５】
前記取付ねじ９ｅは、頭部９ｆとねじ部９ｇ（先端側部分に相当）とを有しており、頭部９ｆは長孔９ｄを挿通不能に、ねじ部９ｇは長孔９ｄを挿通可能にそれぞれ形成されている。
【００５６】
尚、図２に示すように、第１実施形態のガス漏れ警報器１の本体１の下面１ｄには、取付ねじ９ｅのねじ部９ｇと螺合可能な雌ねじ孔１ｅ（被係合部に相当）が形成されている。
【００５７】
そして、この第１実施形態では、長孔９ｄを挿通させた取付ねじ９ｅのねじ部９ｇを、ガス漏れ警報器１の本体１ａの下面１ｄに形成した雌ねじ孔１ｅに螺着して仮締めしておき、この状態でガス漏れ警報器１のプラグ１ｃを下側のコンセント７ｂに差し込み、その後、長孔９ｄ内における取付ねじ９ｅのねじ部９ｇの相対位置を長孔９ｄの延在方向に沿って移動させて、コンセントカバー５の下方にはみ出した本体１ａの下面１ｄからの、壁面３側への短辺部９ｂの突出量を、短辺部９ｂが壁面３に当接する量に調節し、取付ねじ９ｅを本締めすることで、ガス漏れ警報器１を壁面３に設置することになる。
【００５８】
このようにすることで、上側のコンセント７ｂを本体１ａで覆い隠さないように壁面３に設置したガス漏れ警報器１の、コンセントカバー５の下方にはみ出して壁面３との間にコンセントカバー５の厚さに応じた寸法の隙間Ｓが生じる本体１ａの下部が、取付ねじ９ｅにより雌ねじ孔１ｅに長辺部９ｃを螺着したブラケット９ａの短辺部９ｂの壁面３に対する当接によって、コンセントカバー５の厚さに応じた寸法の隙間Ｓに壁面３との間隔を保持され、壁面３に接近する方向において本体１ａが位置決めされる。
【００５９】
よって、本体１ａの下部に、コンセント７ｂによるプラグ１ｃの把持力を上回る大きさで、壁面３側への外力が加わっても、コンセントカバー５の下端を回転中心として、てこの原理で本体１ａが回転することがなく、そのため、本体１ａの下端が壁面３に当接して本体１ａの上端が壁面３（コンセントカバー５）から離れることもない。
【００６０】
したがって、第１実施形態の電源プラグ一体型電子機器と電源プラグ一体型電子機器用設置補助具、及び、これらを用いた電源プラグ一体型電子機器の壁面設置方法によれば、ガス漏れ警報器１の本体１ａとプラグ１ｃとを別体にしなくても、コンセントカバー５のプラグ１ｃを差し込まない他のコンセント７ｂを覆い隠すことなく、かつ、コンセント７ｂによるプラグ１ｃの把持力に依存することなく、コンセント７ｂに差し込んだプラグ１ｃが引き抜かれて脱落することのないように、ガス漏れ警報器１を壁面３に確実に設置することができる。
【００６１】
図５は、本発明の第２実施形態に係る電源プラグ一体型電子機器の壁面設置方法を実行するのに当たって使用される、本発明の第２実施形態に係る電源プラグ一体型電子機器と電源プラグ一体型電子機器用設置補助具とを示す要部側面図であり、図５中図１及び図２と同等の要素、部分には、図１及び図２で付したものと同一の引用符号を付して、重複する説明を省略する。
【００６２】
そして、図５中引用符号９Ａで示す第２実施形態の取付ユニットは、図６に拡大分解斜視図で示すように、図４に示す第１実施形態の取付ユニット９と同様のブラケット９ａ及び取付ねじ９ｅに加えて、この取付ねじ９ｅによりブラケット９ａの長辺部９ｃに固定される固定ピン９ｈを更に有して構成されている。
【００６３】
前記固定ピン９ｈは、略円柱状の突起部９ｊ（固定用突起に相当）と、この突起部９ｊの一方の端面側に突設されブラケット９ａの長辺部９ｃの長孔９ｄに挿入可能なガイド部９ｋとを有しており、このガイド部９ｋには、突起部９ｊの中心上に位置するように、取付ねじ９ｅのねじ部９ｇと螺合可能な雌ねじ孔９ｍが形成されている。
【００６４】
また、図５中引用符号１Ａで示す第２実施形態のガス漏れ警報器は、本体１ａの下面１ｄに、図２に示す第１実施形態のガス漏れ警報器１の雌ねじ孔１ｅに代えて、固定ピン９ｈの突起部９ｊが挿入可能な平面視正円状の係合孔１ｆ（固定用凹部に相当）が形成されている。
【００６５】
そして、この第２実施形態では、ブラケット９ａの短片部９ｂの延出側とは反対側から長辺部９ｃの長孔９ｄに固定ピン９ｈのガイド部９ｋを挿入し、反対側（短片部９ｂの延出側）から取付ねじ９のねじ部９ｇを固定ピン９ｈの雌ねじ孔９ｍに螺着させておいた後、ガス漏れ警報器１のプラグ１ｃを下側のコンセント７ｂに差し込んだ際に本体１ａの下面１ｄに長辺部９ｃが当接するように、コンセントカバー５よりも若干下方の壁面３箇所にブラケット９ａの短片部９ｂを、ブラケット９ａの短片部９ｂが壁面３にねじや接着剤、面ファスナー、両面テープ等の任意の方法により予め取着しておく。
【００６６】
その後、プラグ１ｃをコンセント７ｂに差し込んでガス漏れ警報器１Ａの本体１ａの下面１ｄをブラケット９ａの長辺部９ｃに当接させ、その際に、本体１ａの下面１ｄの係合孔１ｆに突起部９ｊが挿入されるように固定ピン９ｈのガイド部９ｋを長孔９ｄの延在方向に移動させ、取付ねじ９ｅを締め付けて固定ピン９ｈをブラケット９ａの長辺部９ｃに固定することで、ガス漏れ警報器１Ａを壁面３に設置することになる。
【００６７】
尚、コンセントカバー５の厚さを予め計っておいて、その寸法に合わせて長孔９ｄの延在方向における固定ピン９ｈのガイド部９ｋの位置を先に合わせておいて、取付ねじ９ｅの締め付けにより固定ピン９ｈをブラケット９ａの長辺部９ｃに先に固定しておいてから、ブラケット９ａの壁面３への取着と、下側のコンセント７ｂへのプラグ１ｃの差し込みとを行うようにしてもよい。
【００６８】
また、ブラケット９ａに若干の可撓性がある場合には、固定ピン９ｈをブラケット９ａの長辺部９ｃに固定した状態でブラケット９ａを壁面３に予め取着しておき、その後、長辺部９ｃを下方に撓ませた状態で、ガス漏れ警報器１Ｂのプラグ１ｃをコンセント７ｂに差し込んで、本体１ａの下面１ｄの係合孔１ｆに、長辺部９ｃの固定ピン９ｈを挿入させて、撓ませた長辺部９ｃを元の状態に戻すことで、ブラケット９ａの壁面３への取着と、下側のコンセント７ｂへのプラグ１ｃの差し込みとを行うようにしてもよい。
【００６９】
このようにすることで、上側のコンセント７ｂを本体１ａで覆い隠さないように壁面３に設置したガス漏れ警報器１Ａの、コンセントカバー５の下方にはみ出して壁面３との間にコンセントカバー５の厚さに応じた寸法の隙間Ｓが生じる本体１ａの下部が、係合孔１ｆに突起部９ｊが挿入される固定ピン９ｈの雌ねじ孔９ｍに螺着した取付ねじ９ｅの締め付けにより、長孔９ｄの延在方向（長辺部９ｃの延出方向）において位置決めされる。
【００７０】
よって、第２実施形態の電源プラグ一体型電子機器と電源プラグ一体型電子機器用設置補助具、及び、これらを用いた電源プラグ一体型電子機器の壁面設置方法によっても、第１実施形態の電源プラグ一体型電子機器と電源プラグ一体型電子機器用設置補助具、及び、これらを用いた電源プラグ一体型電子機器の壁面設置方法と同様に、ガス漏れ警報器１Ａを壁面３に確実に設置することができる。
【００７１】
図７は、本発明の第３実施形態に係る電源プラグ一体型電子機器の壁面設置方法を実行するのに当たって使用される、本発明の第３実施形態に係る電源プラグ一体型電子機器と電源プラグ一体型電子機器用設置補助具とを示す要部側面図であり、図７中図１、図２、及び、図５と同等の要素、部分には、図１、図２、及び、図５で付したものと同一の引用符号を付して、重複する説明を省略する。
【００７２】
そして、図７中引用符号９Ｂで示す第３実施形態の取付ユニットは、図８に拡大分解斜視図で示すように、第１実施形態や第２実施形態の取付ユニット９，９Ａとは異なり、ブラケット９ａ単品で構成されており、長辺部９ｃの長孔９ｄが省略されて、その代わりに長辺部９ｃの外側面に、滑り止め兼用の断面鋸刃状の溝９ｎ（固定用凹部に相当）が、長辺部９ｃの延出方向に複数列設されている。
【００７３】
この各溝９ｎは、長辺部９ｃから垂直に延出する起立面９ｐ（非傾斜面に相当）と、隣接する溝９ｎの起立面９ｐの頂部と自溝９ｎの起立面９ｐの底部との間を接続する傾斜面９ｒとを有しており、この傾斜面９ｒは、長辺部９ｃの延出方向先端側から基端側（短片部９ｂ側）に向かうにつれて高さが低くなるように傾斜している。
【００７４】
また、図７中引用符号１Ｂで示す第３実施形態のガス漏れ警報器は、本体１ａの下面１ｄに、図２に示す第１実施形態のガス漏れ警報器１の雌ねじ孔１ｅや、図５に示す第２実施形態のガス漏れ警報器１Ａの係合孔１ｆに代えて、図９に拡大斜視図で示すように、ブラケット９ａの任意の溝９ｎに挿入可能な断面鋸刃状の帯状突起１ｇ（固定用突起に相当）が形成されている。
【００７５】
そして、この第３実施形態では、第１実施形態や第２実施形態の場合とは異なり、ガス漏れ警報器１Ｂのプラグ１ｃを下側のコンセント７ｂに予め差し込んでおき、その後、短片部９ｂを壁面３に当て付けながらブラケット９ａを下方からガス漏れ警報器１Ｂの本体１ａの下面１ｄに近づけつつ、帯状突起１ｇに対向する位置の溝９ｎに帯状突起１ｇを挿入させて、この状態で、ブラケット９ａの短片部９ｂを壁面３に取着することで、ガス漏れ警報器１Ｂを壁面３に設置することになる。
【００７６】
尚、第２実施形態の場合と同様に、ブラケット９ａに若干の可撓性がある場合には、予めブラケット９ａを壁面３に取着しておき、その後、長辺部９ｃを下方に撓ませた状態で、ガス漏れ警報器１Ｂのプラグ１ｃをコンセント７ｂに差し込んで、本体１ａの下面１ｄの帯状突起１ｇを、長辺部９ｃの複数の溝９ｎのうち帯状突起１ｇに対向する位置の溝９ｎに挿入させて、撓ませた長辺部９ｃを元の状態に戻すことで、ブラケット９ａの壁面３への取着と、下側のコンセント７ｂへのプラグ１ｃの差し込みとを行うようにしてもよい。
【００７７】
このようにすることで、上側のコンセント７ｂを本体１ａで覆い隠さないように壁面３に設置したガス漏れ警報器１Ｂの、コンセントカバー５の下方にはみ出して壁面３との間にコンセントカバー５の厚さに応じた寸法の隙間Ｓが生じる本体１ａの下部が、ブラケット９ａの、本体１ａの帯状突起１ｇに対向する位置の溝９ｎに対する帯状突起１ｇの挿入により、長辺部９ｃの延出方向において位置決めされる。
【００７８】
よって、第３実施形態の電源プラグ一体型電子機器と電源プラグ一体型電子機器用設置補助具、及び、これらを用いた電源プラグ一体型電子機器の壁面設置方法によっても、第１実施形態や第２実施形態の電源プラグ一体型電子機器と電源プラグ一体型電子機器用設置補助具、及び、これらを用いた電源プラグ一体型電子機器の壁面設置方法と同様に、ガス漏れ警報器１Ｂを壁面３に確実に設置することができる。
【００７９】
尚、溝９ｎに挿入された帯状突起１ｇの、長辺部９ｃの延出方向基端側（短片部９ｂ側、壁面３に対して接近する方向に相当）に隣接する溝９ｎへの乗り上げ移動は、長辺部９ｃから垂直に延出する起立面９ｐにより阻止され、長辺部９ｃの延出方向先端側（壁面３に対して離間する方向に相当）に隣接する溝９ｎへの帯状突起１ｇの乗り上げ移動は、長辺部９ｃの延出方向先端側から基端側（短片部９ｂ側）に向かうにつれて高さが低くなるように傾斜した傾斜面９ｒにより許容される。
【００８０】
このため、第３実施形態の電源プラグ一体型電子機器と電源プラグ一体型電子機器用設置補助具、及び、これらを用いた電源プラグ一体型電子機器の壁面設置方法によれば、設置されたガス漏れ警報器１Ｂを壁面３から取り外す必要がある場合に、長辺部９ｃの延出方向先端側（壁面３に対して離間する方向に相当）に隣接する溝９ｎへ帯状突起１ｇを乗り上げ移動させながら、コンセントカバー５からはみ出た本体１ａの下部を長辺部９ｃの延出方向先端側に移動させて、ブラケット９ａを壁面３から外さずにガス漏れ警報器１Ｂの取り外し作業を容易に行うことができる。
【００８１】
ちなみに、ブラケット９ａの長辺部９ｃにその延出方向に列設された複数の溝９ｎ，９ｎ，…が、各溝９ｎの頂部に接触する面に対して適度な静摩擦力を有している場合には、本体１ａの帯状突起１ｇを省略して本体１ａの下面１ｄを各溝９ｎの頂部に接触させ、本体１ａの下面１ｄと各溝９ｎの頂部との間に働く静摩擦力により本体１ａの長辺部９ｃに対するその延出方向における移動を規制させて、壁面３に設置したガス漏れ警報器１Ｂの下部を、ブラケット９ａの長辺部９ｃの延出方向において位置決めするようにしてもよい。
【００８２】
図１０は、本発明の第４実施形態に係る電源プラグ一体型電子機器の壁面設置方法を実行するのに当たって使用される、本発明の第４実施形態に係る電源プラグ一体型電子機器を示す要部側面図であり、図１０中図１、図２、図５、並びに、図７と同等の要素、部分には、図１、図２、図５、並びに、図７で付したものと同一の引用符号を付して、重複する説明を省略する。
【００８３】
そして、図１０に示すように、第４実施形態の電源プラグ一体型電子機器の壁面設置方法では、第１実施形態乃至第３実施形態のような取付ユニット９，９Ａ，９Ｂを用いず、その代わりに、雌雄一対の面ファスナー１１ａ，１１ｂが使用される。
【００８４】
このうち、一方の面ファスナー１１ａは、下側のコンセント７ｂよりもさらに下方のコンセントカバー５箇所に両面テープ又は接着剤等により取着されており、ガス漏れ警報器１Ｃの本体１ａの背面１ｂのうち、上側のコンセント７ｂを本体１ａで覆い隠さないように壁面３にガス漏れ警報器１Ｃを設置した状態で一方の面ファスナー１１ａに対向する、プラグ１ｃよりも下方の背面１ｂ箇所に形成された凹部１ｈには、他方の面ファスナー１１ｂ（取付補強部に相当）が両面テープ又は接着剤等により取着されている。
【００８５】
そして、この第４実施形態では、第１実施形態乃至第３実施形態のいずれの場合とも異なり、ガス漏れ警報器１Ｃのプラグ１ｃを下側のコンセント７ｂに差し込み、本体１ａの背面１ｂをコンセントカバー５に当て付けて、これにより、コンセントカバー５側の面ファスナー１１ａを本体１ａ側の面ファスナー１１ｂと面ファスナー結合させることで、ガス漏れ警報器１Ｃを壁面３に設置することになる。
【００８６】
このようにすることで、上側のコンセント７ｂを本体１ａで覆い隠さないように壁面３に設置したガス漏れ警報器１Ｃの、プラグ１ｃよりも若干下方の本体１ａ箇所が、コンセントカバー５側の面ファスナー１１ａと本体１ａ側の面ファスナー１１ｂとの面ファスナー結合により、壁面３に対して接近離間する方向において位置決めされる。
【００８７】
よって、第４実施形態の電源プラグ一体型電子機器と電源プラグ一体型電子機器用設置補助具、及び、これらを用いた電源プラグ一体型電子機器の壁面設置方法によっても、第１実施形態乃至第３実施形態の電源プラグ一体型電子機器と電源プラグ一体型電子機器用設置補助具、及び、これらを用いた電源プラグ一体型電子機器の壁面設置方法と同様に、ガス漏れ警報器１Ｃを壁面３に確実に設置することができる。
【００８８】
尚、第１実施形態及び第２実施形態の取付ユニット９，９Ａのブラケット９ａにおける長孔９ｄは、正円状の通孔であってもよいが、長孔９ｄとした方が、ガス漏れ警報器１，１Ａを設置する壁面３のコンセントカバー５の種類によってその厚みが変わるとしても、長孔９ｄの延在方向における取付ねじ９ｅの長辺部９ｃに対する位置を調整することで、コンセントカバー５の下方にはみ出る本体１ａの下部と壁面３との間に生じる隙間Ｓを、コンセントカバー５の厚さに応じた寸法に調整して、ガス漏れ警報器１，１Ａを常に壁面３に平行で真っ直ぐな姿勢で設置することができるので、有利である。
【００８９】
また、第２実施形態において、ガス漏れ警報器１Ａの本体１ａの下面１ｄに形成した係合孔１ｆを、取付ユニット９Ａの固定ピン９ｈの突起部９ｊ先端面に形成し、これ（突起部９ｊ先端面に形成した係合孔１ｆ）に対応する突起を、ガス漏れ警報器１Ａの本体１ａの下面１ｄに形成するようにしてもよく、その場合は、突起部９ｊ先端面に形成した係合孔１ｆが請求項中の固定用凹部に相当し、本体１ａの下面１ｄに形成した突起が請求項中の固定用突起に相当することになる。
【００９０】
さらに、第３実施形態において、ガス漏れ警報器１Ａの本体１ａの下面１ｄに形成した帯状突起１ｇをブラケット９ａの長辺部９ｃの外側面に形成し、反対に、ブラケット９ａの長辺部９ｃの外側面に複数列設した溝９ｎ，９ｎ，…をガス漏れ警報器１Ａの本体１ａの下面１ｄに列設するようにしてもよい。
【００９１】
また、第３実施形態において、ガス漏れ警報器１Ａの本体１ａの下面１ｄとブラケット９ａの長辺部９ｃの外側面とのどちらに形成するにせよ、帯状突起１ｇは本体１ａや長辺部９ｃの全幅に亘る長さでなくてもよい。
【００９２】
そして、上述した第１実施形態乃至第４実施形態ではガス漏れ警報器１，１Ａ，１Ｂ，１Ｃを例に取って説明したが、本発明は、本体の背面から突設されたプラグを壁面のコンセントカバーのコンセントに挿入することで壁面に設置される電源プラグ一体型の電子機器に広く適用可能であることは、言うまでもない。
【００９３】
【発明の効果】
以上説明したように請求項１に記載した本発明の電源プラグ一体型電子機器によれば、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがないようにして、電源プラグ一体型電子機器を壁面に確実に設置することができる。
【００９４】
また、請求項２に記載した本発明の電源プラグ一体型電子機器によれば、請求項１に記載した本発明の電源プラグ一体型電子機器において、壁面に対するブラケットの当接片の当接により、コンセントにプラグを差し込んだ状態でコンセントカバーからはみ出た本体と壁面との隙間が一定に保たれるようにして、電源プラグ一体型電子機器の壁面への確実な設置状態をより安定して保持することができる。
【００９５】
さらに、請求項３に記載した本発明の電源プラグ一体型電子機器によれば、請求項１に記載した本発明の電源プラグ一体型電子機器において、被係合部における係合部との係合が容易に行われるようにして、電源プラグ一体型電子機器の壁面への設置作業を容易にすることができる。
【００９６】
また、請求項４に記載した本発明の電源プラグ一体型電子機器によれば、請求項３に記載した本発明の電源プラグ一体型電子機器において、コンセントにプラグを差し込んだ状態でコンセントカバーからはみ出る本体部分と壁面との間に空く隙間が、コンセントカバーの厚さに応じた寸法に合わせて、任意に設定されるようにして、コンセントカバーの種類によってその厚さが変わっても、ガス漏れ警報器を常に壁面に平行で真っ直ぐな姿勢で設置することができる。
【００９７】
さらに、請求項５に記載した本発明の電源プラグ一体型電子機器によれば、請求項４に記載した本発明の電源プラグ一体型電子機器において、プラグのコンセントへの差し込み状態が甘くなって脱落してしまうように本体の姿勢が傾いてしまうことを防ぎつつ、壁面に設置された電源プラグ一体型電子機器を壁面から外す際に、コンセントカバーからはみ出た本体部分を壁面に対して離間する方向に移動させて、取外し作業を容易に行うことができる。
【００９８】
また、請求項６に記載した本発明の電源プラグ一体型電子機器によれば、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがないようにして、電源プラグ一体型電子機器を壁面に確実に設置することができる。
【００９９】
さらに、請求項７に記載した本発明の電源プラグ一体型電子機器によれば、電源プラグ一体型のガス漏れ警報器を壁面に設置する際に、請求項１、２、３、４、５又は６に記載した電源プラグ一体型電子機器によって得られる効果を得ることができる。
【０１００】
また、請求項８に記載した本発明の電源プラグ一体型電子機器用設置補助具によれば、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがないようにして、電源プラグ一体型電子機器が壁面に確実に設置されるようにすることができる。
【０１０１】
さらに、請求項９に記載した本発明の電源プラグ一体型電子機器用設置補助具によれば、請求項８に記載した本発明の電源プラグ一体型電子機器用設置補助具において、コンセントカバーの種類によってその厚さが変わっても、電源プラグ一体型の電子機器の本体下面に取着された支持片に連接されている当接片を壁面に必ず当接させて、ガス漏れ警報器が常に壁面に平行で真っ直ぐな姿勢で設置されるようにすることができる。
【０１０２】
また、請求項１０に記載した本発明の電源プラグ一体型電子機器用設置補助具によれば、コンセントにプラグを差し込んだ状態でコンセントカバーからはみ出て壁面との間にコンセントカバーの厚さ分の隙間が空く本体（の一部）に、この隙間がなくなるような方向に本体へ外力が加わったとしても、コンセントのプラグ把持力の大小に拘わらず、プラグのコンセントへの差し込み状態が甘くなって脱落してしまうように本体の姿勢が傾いてしまうことがないようにして、電源プラグ一体型電子機器が壁面に確実に設置されるようにすることができる。
【０１０３】
さらに、請求項１１に記載した本発明の電源プラグ一体型電子機器用設置補助具によれば、請求項１０に記載した本発明の電源プラグ一体型電子機器用設置補助具において、コンセントカバーの種類によってその厚さが変わっても、電源プラグ一体型の電子機器の本体下面の被係合部に係合部を必ず係合させて、ガス漏れ警報器が常に壁面に平行で真っ直ぐな姿勢で設置されるようにすることができる。
【０１０４】
尚、請求項１３に記載した本発明の電源プラグ一体型電子機器の壁面設置方法によれば、電源プラグ一体型の電子機器の本体の背面から突設されたプラグを壁面のコンセントカバーのコンセントに挿入することで壁面に電源プラグ一体型の電子機器を設置した際に、請求項１又は２に記載した電源プラグ一体型電子機器によって得られる効果と、請求項８又は９に記載した電源プラグ一体型電子機器用設置補助具によって得られる効果とを、同時に得ることができる。
【０１０５】
また、請求項１３に記載した本発明の電源プラグ一体型電子機器の壁面設置方法によれば、電源プラグ一体型の電子機器の本体の背面から突設されたプラグを壁面のコンセントカバーのコンセントに挿入することで壁面に電源プラグ一体型の電子機器を設置した際に、請求項３、４、５、６又は７に記載した電源プラグ一体型電子機器によって得られる効果と、請求項１０又は１１に記載した電源プラグ一体型電子機器用設置補助具によって得られる効果とを、同時に得ることができる。
【図面の簡単な説明】
【図１】壁面に設置される電源プラグ一体型機器としてのガス漏れ警報器の一般的な構成を示す断面図である。
【図２】本発明の第１実施形態に係る電源プラグ一体型電子機器の壁面設置方法を実行するのに当たって使用される、本発明の第１実施形態に係る電源プラグ一体型電子機器と電源プラグ一体型電子機器用設置補助具とを示す要部側面図である。
【図３】図２の電源プラグ一体型電子機器と電源プラグ一体型電子機器用設置補助具との底面図である。
【図４】図２及び図３の取付ユニットの拡大分解斜視図である。
【図５】本発明の第２実施形態に係る電源プラグ一体型電子機器の壁面設置方法を実行するのに当たって使用される、本発明の第２実施形態に係る電源プラグ一体型電子機器と電源プラグ一体型電子機器用設置補助具とを示す要部側面図である。
【図６】図５の取付ユニットの拡大分解斜視図である。
【図７】本発明の第３実施形態に係る電源プラグ一体型電子機器の壁面設置方法を実行するのに当たって使用される、本発明の第３実施形態に係る電源プラグ一体型電子機器と電源プラグ一体型電子機器用設置補助具とを示す要部側面図である。
【図８】図７の取付ユニットの拡大分解斜視図である。
【図９】図７のガス漏れ警報器の拡大斜視図である。
【図１０】本発明の第４実施形態に係る電源プラグ一体型電子機器の壁面設置方法を実行するのに当たって使用される、本発明の第４実施形態に係る電源プラグ一体型電子機器を示す要部側面図である。
【符号の説明】
１，１Ａ，１Ｂ，１Ｃ  ガス漏れ警報器（電源プラグ一体型機器）
１ａ  本体
１ｂ  本体背面
１ｃ  プラグ
１ｄ  本体下面
１ｅ  雌ねじ孔（被係合部）
１ｆ  係合孔（固定用凹部）
１ｇ  帯状突起（固定用突起）
３  壁面
５  コンセントカバー
７ｂ  コンセント
９，９Ａ，９Ｂ  取付ユニット（電源プラグ一体型電子機器用設置補助具）
９ａ  ブラケット
９ｂ  短辺部（当接片）
９ｃ  長辺部（支持片）
９ｅ  取付ねじ（ねじ部材）
９ｇ  ねじ部（ねじ部材先端側部分）
９ｊ  突起部（固定用突起）
９ｎ  溝（固定用凹部）
９ｐ  起立面（非傾斜面）
９ｒ  傾斜面
１１ｂ  面ファスナー（取付補強部）
【図１】
2004327347.tif 000003
【図２】
2004327347.tif 000004
【図３】
2004327347.tif 000005
【図４】
2004327347.tif 000006
【図５】
2004327347.tif 000007
【図６】
2004327347.tif 000008
【図７】
2004327347.tif 000009
【図８】
2004327347.tif 000010
【図９】
2004327347.tif 000011
【図１０】
2004327347.tif 000012